(57)【要約】  無線通信システムは、基地局装置（１）において、近隣基地局情報を予め基地局管理情報の一部として登録し、当該近隣基地局情報を端末局（３）に報知する。基地局装置（１）は、端末局（３）が近隣基地局情報のリストに登録されていない他の基地局（２）からハンドオーバ準備フェーズを経ないハンドオーバを実施してきたことを検出するハンドオーバ処理手段（１２１）と、ハンドオーバ処理手段（１２１）にて当該ハンドオーバの実施が検出された場合に他の基地局（２）を近隣基地局情報のリストに動的に追加登録する管理手段（１２２）とを有する。これにより、近隣基地局情報に互いに登録されていない基地局間の準正常なハンドオーバが発生した場合、次回以降、同一のハンドオーバパターンが発生しても正常なハンドオーバとして処理可能な無線通信システムを提供する。
2012153525.tif 000002
【特許請求の範囲】
【請求項１】
無線通信機能を有する端末局と、前記端末局との間で所定の周波数を用いてフレームを送受信する基地局装置とを含み、
前記基地局装置において、近隣基地局情報を予め基地局管理情報の一部として登録し、当該近隣基地局情報を前記端末局に報知する無線通信システムであって、
前記基地局装置は、前記端末局が前記近隣基地局情報のリストに登録されていない他の基地局からハンドオーバ準備フェーズを経ないハンドオーバを実施してきたことを検出するハンドオーバ処理手段と、前記ハンドオーバ処理手段にて当該ハンドオーバの実施が検出された場合に前記他の基地局を前記近隣基地局情報のリストに動的に追加登録する管理手段とを有することを特徴とする無線通信システム。
【請求項２】
前記ハンドオーバ処理手段は、前記ハンドオーバのための制御メッセージに含まれるハンドオーバ先の基地局情報あるいはハンドオーバ元の基地局情報を収集し、前記基地局情報を前記管理手段に入力することを特徴とする請求項１記載の無線通信システム。
【請求項３】
前記管理手段は、現在の近隣基地局情報のリストを参照し、前記ハンドオーバ処理手段にて収集された前記基地局情報が前記近隣基地局情報のリストに登録されていない場合、当該基地局情報を前記近隣基地局情報のリストに動的に追加登録して前記近隣基地局情報のリストを更新することを特徴とする請求項２記載の無線通信システム。
【請求項４】
上記の請求項１から請求項３に記載の手段を含むことを特徴とする基地局装置。
【請求項５】
無線通信機能を有する端末局と、前記端末局との間で所定の周波数を用いてフレームを送受信する基地局装置とを含み、
前記基地局装置において、近隣基地局情報を予め基地局管理情報の一部として登録し、当該近隣基地局情報を前記端末局に報知する無線通信システムに用いるハンドオーバ制御方法であって、
前記基地局装置が、前記端末局が前記近隣基地局情報のリストに登録されていない他の基地局からハンドオーバ準備フェーズを経ないハンドオーバを実施してきたことを検出するハンドオーバ処理と、前記ハンドオーバ処理にて当該ハンドオーバの実施が検出された場合に前記他の基地局を前記近隣基地局情報のリストに動的に追加登録する管理処理とを実行することを特徴とするハンドオーバ制御方法。
【請求項６】
前記ハンドオーバ処理において、前記ハンドオーバのための制御メッセージに含まれるハンドオーバ先の基地局情報あるいはハンドオーバ元の基地局情報を収集し、前記基地局情報を前記管理処理に入力することを特徴とする請求項５記載のハンドオーバ制御方法。
【請求項７】
前記管理処理において、現在の近隣基地局情報のリストを参照し、前記ハンドオーバ処理にて収集された前記基地局情報が前記近隣基地局情報のリストに登録されていない場合、当該基地局情報を前記近隣基地局情報のリストに動的に追加登録して前記近隣基地局情報のリストを更新することを特徴とする請求項６記載のハンドオーバ制御方法。
【請求項８】
無線通信機能を有する端末局と、前記端末局との間で所定の周波数を用いてフレームを送受信する基地局装置とを含み、
前記基地局装置において、近隣基地局情報を予め基地局管理情報の一部として登録し、当該近隣基地局情報を前記端末局に報知する無線通信システムにおいて前記基地局装置内の中央処理装置に実行させるプログラムが格納された記憶媒体であって、
前記端末局が前記近隣基地局情報のリストに登録されていない他の基地局からハンドオーバ準備フェーズを経ないハンドオーバを実施してきたことを検出するハンドオーバ処理と、前記ハンドオーバ処理にて当該ハンドオーバの実施が検出された場合に前記他の基地局を前記近隣基地局情報のリストに動的に追加登録する管理処理とを含むことを特徴とするプログラムが格納された記憶媒体。
【発明の詳細な説明】
【技術分野】
【０００１】
本発明は無線通信システム、基地局装置及びそれに用いるハンドオーバ制御方法並びにそのプログラムが格納された記憶媒体に関し、特に無線基地局にける近隣基地局情報管理に関する。
【背景技術】
【０００２】
本発明に関連する無線基地局における近隣基地局情報管理では、周囲のエリア情報（基地局マップ情報）から物理的に近接する基地局を選定し、静的もしくは動的に近隣基地局情報に登録している。この近隣基地局情報を用いることで、ハンドオーバを高速化することが検討されている。【０００３】
しかるに、都市部のように、密集する建物やその他遮蔽物により伝搬環境が複雑に変動する環境においては、物理的な基地局配置や事前の数値シミュレーションからは想定できない基地局間でのハンドオーバが起こり得る。【０００４】
上記の近隣基地局情報管理としては、実際にハンドオーバが発生した基地局に関して隣接基地局情報を交換する方法が提案されている（例えば、特許文献１参照）。また、近隣基地局情報としては、周辺基地局に対するスキャンニング及び同期化過程を通じて獲得した周辺基地局情報がある（例えば、特許文献２参照）。
【先行技術文献】
【特許文献】
【０００５】
【特許文献１】特開２０１０−１９３２７８号公報
【特許文献２】特表２００７−５３６８７３号公報
【発明の概要】
【発明が解決しようとする課題】
【０００６】
しかしながら、本発明に関連する無線基地局では、上記のような予測できないハンドオーバが発生した場合に、これを近隣基地局情報に反映することができない。【０００７】
このような、近隣基地局情報に互いに登録されていない基地局間のハンドオーバは、動作としては保証され、結果的にハンドオーバ処理はされるものの、互いに登録されている場合の正常なハンドオーバ処理に比して処理時間がかかり、接続遅延が大きくなるという問題がある。上述した特許文献１，２では、上記のような予測できないハンドオーバについて考慮されていない。【０００８】
そこで、本発明の目的は上記の問題点を解消し、近隣基地局情報に互いに登録されていない基地局間の準正常なハンドオーバが発生した場合、次回以降、同一のハンドオーバパターンが発生しても正常なハンドオーバとして処理することができる無線通信システム、基地局装置及びそれに用いるハンドオーバ制御方法並びにそのプログラムが格納された記憶媒体を提供することにある。
【課題を解決するための手段】
【０００９】
本発明による無線通信システムは、無線通信機能を有する端末局と、前記端末局との間で所定の周波数を用いてフレームを送受信する基地局装置とを含み、前記基地局装置において、近隣基地局情報を予め基地局管理情報の一部として登録し、当該近隣基地局情報を前記端末局に報知する無線通信システムであって、前記基地局装置は、前記端末局が前記近隣基地局情報のリストに登録されていない他の基地局からハンドオーバ準備フェーズを経ないハンドオーバを実施してきたことを検出するハンドオーバ処理手段と、前記ハンドオーバ処理手段にて当該ハンドオーバの実施が検出された場合に前記他の基地局を前記近隣基地局情報のリストに動的に追加登録する管理手段とを備えている。【００１０】
本発明による基地局装置は、上記の無線通信システムの基地局装置の手段を含むことを特徴とする。【００１１】
本発明によるハンドオーバ制御方法は、無線通信機能を有する端末局と、前記端末局との間で所定の周波数を用いてフレームを送受信する基地局装置とを含み、前記基地局装置において、近隣基地局情報を予め基地局管理情報の一部として登録し、当該近隣基地局情報を前記端末局に報知する無線通信システムに用いるハンドオーバ制御方法であって、前記基地局装置が、前記端末局が前記近隣基地局情報のリストに登録されていない他の基地局からハンドオーバ準備フェーズを経ないハンドオーバを実施してきたことを検出するハンドオーバ処理と、前記ハンドオーバ処理にて当該ハンドオーバの実施が検出された場合に前記他の基地局を前記近隣基地局情報のリストに動的に追加登録する管理処理とを実行している。【００１２】
本発明によるプログラムが格納された記憶媒体は、無線通信機能を有する端末局と、前記端末局との間で所定の周波数を用いてフレームを送受信する基地局装置とを含み、前記基地局装置において、近隣基地局情報を予め基地局管理情報の一部として登録し、当該近隣基地局情報を前記端末局に報知する無線通信システムにおいて前記基地局装置内の中央処理装置に実行させるプログラムが格納された記憶媒体であって、前記端末局が前記近隣基地局情報のリストに登録されていない他の基地局からハンドオーバ準備フェーズを経ないハンドオーバを実施してきたことを検出するハンドオーバ処理と、前記ハンドオーバ処理にて当該ハンドオーバの実施が検出された場合に前記他の基地局を前記近隣基地局情報のリストに動的に追加登録する管理処理とを含むことを特徴とする。
【発明の効果】
【００１３】
本発明は、上記のような構成及び動作とすることで、近隣基地局情報に互いに登録されていない基地局間の準正常なハンドオーバが発生した場合、次回以降、同一のハンドオーバパターンが発生しても正常なハンドオーバとして処理することができるという効果が得られる。
【図面の簡単な説明】
【００１４】
【図１】本発明の実施の形態による無線通信システムの構成例を示すブロック図である。
【図２】本発明の実施の形態による無線通信システムにおけるハンドオーバ動作の一例を示すシーケンスチャートである。
【図３】本発明の実施の形態による無線通信システムにおけるハンドオーバ動作の他の例を示すシーケンスチャートである。
【図４】本発明の実施の形態による基地局におけるハンドオーバ動作を示すフローチャートである。
【発明を実施するための形態】
【００１５】
次に、本発明の実施の形態について図面を参照して説明する。まず、本発明による無線通信システムの概要について説明する。
【００１６】
本発明による無線通信システムでは、無線通信機能を有する端末との間で、所定の周波数を用いてフレームを送受信する無線基地局を含んでいる。この無線基地局においては、近隣基地局情報を予め基地局管理情報の一部として登録し、端末に報知している。近隣基地局情報は、周囲のエリア情報（基地局マップ情報）から物理的に近接する基地局を選定した情報である。
【００１７】
本発明では、上記の近隣基地局情報について、特に、端末が近隣基地局情報に登録されていない基地局から、ハンドオーバ準備フェーズを経ないハンドオーバを実施してきた場合に、その基地局を近隣基地局情報に動的に追加登録し、運用を継続しながら、実フィールドにおける近隣基地局情報登録の最適化を可能としたことを特徴としている。
【００１８】
無線基地局は、ネットワーク通信部と、基地局動作部と、無線通信部とを備え、基地局動作部には、ハンドオーバ処理部と、近隣基地局情報管理部と、近隣接基地局情報報知部とが設けられている。
【００１９】
無線通信部は、端末局との間でハンドオーバのための制御メッセージの送受信を行い、ネットワーク通信部は、隣接基地局との間でハンドオーバのための制御メッセージの送受信を行う。
【００２０】
ハンドオーバ制御メッセージは、基地局動作部に入力され、ハンドオーバ処理部にてハンドオーバ制御メッセージに含まれるハンドオーバ先あるいはハンドオーバ元の基地局情報を収集し、収集した基地局情報を近隣接基地局情報管理部に入力する。
【００２１】
近隣基地局情報管理部は、現在の近隣基地局情報リストを参照し、収集した基地局情報が登録されていない場合に、その基地局情報を近隣基地局情報リストに動的に追加登録し、近隣基地局情報リストを更新する。以降、更新した近隣基地局情報を無線通信部より端末局宛てに報知する。
【００２２】
このように、本発明では、端末局がハンドオーバを実施する場合に、基地局がハンドオーバ元基地局となる、すなわちＳｅｒｖｉｎｇ基地局として動作する場合、及び、基地局がハンドオーバ先基地局となる、すなわちＴａｒｇｅｔ基地局として動作する場合、の双方の場合において、端末局及び隣接基地局から受信するハンドオーバ制御メッセージから、Ｔａｒｇｅｔ基地局情報及びＳｅｒｖｉｎｇ基地局情報を収集し、近隣基地局情報を動的に更新するので、運用を継続しながら、実フィールドにおける近隣基地局情報の最適化を可能とする。
【００２３】
特に、本発明では、端末局が、近隣基地局情報に登録されていない基地局から、ハンドオーバ準備フェーズを経ないハンドオーバを実施する場合、そのハンドオーバ動作において、Ｓｅｒｖｉｎｇ基地局及びＴａｒｇｅｔ基地局ともに、近隣基地局情報にない基地局間のハンドオーバが発生したことを意味しており、このような、初期設定時には想定できないようなハンドオーバパターンが発生する度ごとに、近隣基地局情報を更新できるという効果がある。
【００２４】
図１は本発明の実施の形態による無線通信システムの構成例を示すブロック図である。図１において、本発明の実施の形態による無線通信システムは、基地局１，２と端末局３とから構成されている。基地局１は、ネットワーク通信部１１と、基地局動作部１２と、無線通信部１３とを備え、基地局動作部１２は、ハンドオーバ処理部１２１と、近隣基地局情報管理部１２２と、近隣接基地局情報報知部１２３とを備えている。
【００２５】
基地局１は、無線通信部１３を介して端末局３との間で無線通信を行う。基地局２も基地局１と同一の構成からなる。ネットワーク通信部１１は、複数の近隣基地局、例えば基地局２と基地局間通信を行う。
【００２６】
無線通信部１３は、端末局３との間でハンドオーバのための制御メッセージの送受信を行う。ハンドオーバ制御メッセージは、基地局動作部１２に入力され、ハンドオーバ処理部１２１にてハンドオーバ制御メッセージに含まれるハンドオーバ先の基地局情報（以下、Ｔａｒｇｅｔ基地局情報とする）あるいはハンドオーバ元の基地局情報（以下、Ｓｅｒｖｉｎｇ基地局情報とする）を収集し、収集した基地局情報を近隣接基地局情報管理部１２２に入力する。
【００２７】
近隣基地局情報管理部１２２は、現在の近隣基地局情報リストを参照し、収集した基地局情報が登録されていない場合、その基地局情報を近隣基地局情報リストに動的に追加登録し、近隣基地局情報リストを更新する。以降、更新した近隣基地局情報を無線通信部１３より端末局３宛てに報知する。
【００２８】
このように、端末局３から受信するハンドオーバ制御メッセージから、Ｔａｒｇｅｔ基地局情報及びＳｅｒｖｉｎｇ基地局情報を収集し、近隣基地局情報を動的に更新するので、上述した背景技術の課題である、近隣基地局情報に互いに登録されていない基地局間のハンドオーバが発生した場合に、次回以降、同一のハンドオーバパターンが発生しても正常なハンドオーバとして処理される構成とすることができる。
【００２９】
尚、基地局動作部１２は、当業者にとってよく知られており、また本発明とは直接関係しない部分についてはその詳細な構成の説明は省略する。
【００３０】
図２は本発明の実施の形態による無線通信システムにおけるハンドオーバ動作の一例を示すシーケンスチャートであり、図３は本発明の実施の形態による無線通信システムにおけるハンドオーバ動作の他の例を示すシーケンスチャートである。これら図１〜図３を参照して本発明の実施の形態による無線通信システムにおけるハンドオーバ動作について説明する。
【００３１】
始めに、図２において、図１に示す基地局１がＳｅｒｖｉｎｇ基地局Ａとして動作し、基地局２がＴａｒｇｅｔ基地局Ｂとして動作するものとする。
【００３２】
Ｓｅｒｖｉｎｇ基地局Ａが、端末局３からハンドオーバ（ＨＯ：Ｈａｎｄ  Ｏｖｅｒ）要求を受信すると（図２のａ４）、ハンドオーバ処理部１２１において、ハンドオーバ要求に含まれるＴａｒｇｅｔ基地局情報を収集し、収集したＴａｒｇｅｔ基地局情報を近隣基地局情報管理部１２２に入力すると同時に、ネットワーク通信部１１を介して、Ｔａｒｇｅｔ基地局Ｂにハンドオーバ要求を送信する（図２のａ５）。
【００３３】
近隣基地局情報管理部１２２では、保有する近隣基地局情報を参照し、入力されたＴａｒｇｅｔ基地局情報の登録有無を確認し、登録されていない場合、近隣基地局情報にＴａｒｇｅｔ基地局Ｂの情報を追加登録する。
【００３４】
ハンドオーバ要求を受信したＴａｒｇｅｔ基地局Ｂは、ハンドオーバ処理部１２１において、ハンドオーバ要求に含まれるＳｅｒｖｉｎｇ基地局情報を収集し、収集したＳｅｒｖｉｎｇ基地局情報を近隣基地局情報管理部１２２に入力すると同時に、ハンドオーバ応答をＳｅｒｖｉｎｇ基地局Ａ宛てに返信する（図２のａ６）。
【００３５】
Ｔａｒｇｅｔ基地局Ｂにおける近隣基地局情報管理部１２２では、保有する近隣基地局情報を参照し、入力されたＳｅｒｖｉｎｇ基地局情報の登録有無を確認し、登録されていない場合、近隣基地局情報にＳｅｒｖｉｎｇ基地局Ａの情報を追加登録する。
【００３６】
ハンドオーバ応答を受信したＳｅｒｖｉｎｇ基地局Ａは、ハンドオーバ応答を端末局３宛てに返信する（図２のａ７）。
【００３７】
ハンドオーバ応答を受信した端末局３は、Ｓｅｒｖｉｎｇ基地局Ａ宛てにハンドオーバ（ＨＯ）通知を送信し（図２のａ８）、ハンドオーバ通知を受信したＳｅｒｖｉｎｇ基地局Ａは、Ｔａｒｇｅｔ基地局Ｂとの間で端末局３のＣｏｎｔｅｘｔ情報の伝送を行う（図２のａ９）。
【００３８】
ハンドオーバ通知を送信した端末局３は、Ｔａｒｇｅｔ基地局Ｂ宛てにレンジング要求を送信する（図２のａ１１）。レンジング要求を受信したＴａｒｇｅｔ基地局Ｂは、ハンドオーバ処理部１２１において、レンジング要求に含まれるＳｅｒｖｉｎｇ基地局情報を収集し、収集したＳｅｒｖｉｎｇ基地局情報を近隣基地局情報管理部１２２に入力すると同時に、端末局３宛てにレンジング応答を返信する（図２のａ１２）。
【００３９】
また、Ｔａｒｇｅｔ基地局Ｂは、Ｓｅｒｖｉｎｇ基地局Ａ宛てにハンドオーバ完了を送信する（図２のａ１３）。Ｔａｒｇｅｔ基地局Ｂにおける近隣基地局情報管理部１２２では、保有する近隣基地局情報を参照し、入力されたＳｅｒｖｉｎｇ基地局情報の登録有無を確認し、登録されていない場合、近隣基地局情報にＳｅｒｖｉｎｇ基地局Ａの情報を追加登録する。
【００４０】
図３は、例えば、Ｓｅｒｖｉｎｇ基地局Ａ、Ｔａｒｇｅｔ基地局Ｂにおいて、近隣基地局情報に互いに登録されていない場合に発生し得るハンドオーバシーケンスであり、正常なハンドオーバシーケンスである図２との違いは、図２におけるハンドオーバ要求からハンドオーバ応答までのシーケンス（ハンドオーバ準備フェーズ）が省略されることである。
【００４１】
端末局３は、Ｔａｒｇｅｔ基地局Ｂの無線電波を検知し、Ｔａｒｇｅｔ基地局Ｂ宛てにレンジング要求を送信する（図３のｂ５）。レンジング要求を受信したＴａｒｇｅｔ基地局Ｂは、ハンドオーバ処理部１２１において、レンジング要求に含まれるＳｅｒｖｉｎｇ基地局情報を収集し、収集したＳｅｒｖｉｎｇ基地局情報を近隣基地局情報管理部１２２に入力すると同時に、Ｓｅｒｖｉｎｇ基地局Ａ宛てに、端末局３のコンテキスト情報を取得するために、Ｃｏｎｔｅｘｔ要求を送信する（図３のｂ６）。
【００４２】
Ｔａｒｇｅｔ基地局Ｂにおける近隣基地局情報管理部１２２では、保有する近隣基地局情報を参照し、入力されたＳｅｒｖｉｎｇ基地局情報の登録有無を確認し、登録されていない場合、近隣基地局情報にＳｅｒｖｉｎｇ基地局Ａの情報を追加登録する。
【００４３】
Ｃｏｎｔｅｘｔ要求を受信したＳｅｒｖｉｎｇ基地局Ａは、ハンドオーバ処理部１２１において、Ｃｏｎｔｅｘｔ要求に含まれるＴａｒｇｅｔ基地局情報を収集し、収集したＴａｒｇｅｔ基地局情報を近隣基地局情報管理部１２２に入力すると同時に、Ｔａｒｇｅｔ基地局Ｂ宛てにＣｏｎｔｅｘｔ応答を返信する（図３のｂ７）。
【００４４】
Ｓｅｒｖｉｎｇ基地局Ａにおける近隣基地局情報管理部１２２では、保有する近隣基地局情報を参照し、入力されたＴａｒｇｅｔ基地局情報の登録有無を確認し、登録されていない場合、近隣基地局情報にＴａｒｇｅｔ基地局Ｂの情報を追加登録する。
【００４５】
Ｃｏｎｔｅｘｔ応答を受信したＴａｒｇｅｔ基地局Ｂは、端末局３宛てにレンジング応答を返信すると同時に（図３のｂ８）、Ｓｅｒｖｉｎｇ基地局Ａ宛てにハンドオーバ完了を送信する（図３のｂ９）。
【００４６】
図４は本発明の実施の形態による基地局におけるハンドオーバ動作を示すフローチャートである。これら図１及び図４を参照して、Ｓｅｒｖｉｎｇ基地局やＴａｒｇｅｔ基地局、及び近隣基地局の情報を含むメッセージの受信有無とこれらを参照して実施する近隣基地局情報への登録動作について説明する。尚、図４に示す処理動作は、基地局１，２内のＣＰＵ（中央処理装置）（図示せず）が図示せぬメモリ内のプログラムを実行することで実現される。
【００４７】
基地局１は、端末局３からのハンドオーバ（ＨＯ）要求の受信の有無の判断において（図４ステップＳ１）、ハンドオーバ要求を受信した場合、Ｔａｒｇｅｔ基地局及び近隣基地局情報に登録された近隣基地局にハンドオーバ要求を送信する（図４ステップＳ２）。
【００４８】
その後、基地局１は、Ｔａｒｇｅｔ基地局及び近隣基地局の近隣基地局情報への登録の有無の判断において（図４ステップＳ３）、未登録の場合、Ｔａｒｇｅｔ基地局及び近隣基地局を近隣基地局情報に登録し（図４ステップＳ４）、処理を終了する。また、基地局１は、近隣基地局情報へ既に登録されている場合、処理を終了する。
【００４９】
基地局１は、上記のステップＳ１の判断処理において、端末局３からハンドオーバ要求を受信しない場合、Ｓｅｒｖｉｎｇ基地局からのハンドオーバ要求の受信の有無の判断において（図４ステップＳ５）、ハンドオーバ要求を受信した場合、Ｓｅｒｖｉｎｇ基地局の近隣基地局情報への登録の有無の判断において（図４ステップＳ６）、未登録の場合、Ｓｅｒｖｉｎｇ基地局を近隣基地局情報に登録し（図４ステップＳ７）、処理を終了する。また、基地局１は、近隣基地局情報へ既に登録されている場合、処理を終了する。
【００５０】
基地局１は、上記のステップＳ５の判断処理において、Ｓｅｒｖｉｎｇ基地局からハンドオーバ要求を受信しない場合、端末局３からのレンジング要求の受信の有無の判断において（図４ステップＳ８）、レンジング要求を受信した場合、Ｓｅｒｖｉｎｇ基地局の近隣基地局情報への登録の有無の判断（図４ステップＳ６）へと進む。
【００５１】
基地局１は、上記のステップＳ８の判断処理において、端末局３からのレンジング要求を受信しない場合、Ｔａｒｇｅｔ基地局からの端末コンテキスト要求の受信の有無の判断において（図４ステップＳ９）、コンテキスト要求を受信した場合、Ｔａｒｇｅｔ基地局及び近隣基地局の近隣基地局情報への登録の有無の判断（図４ステップＳ３）へと進む。基地局１は、コンテキスト要求を受信しない場合、処理を終了する。
【００５２】
このように、本実施の形態では、ハンドオーバ制御メッセージからＳｅｒｖｉｎｇ基地局やＴａｒｇｅｔ基地局、及び近隣基地局の情報を収集し、それらの情報を基に近隣基地局情報を更新しているので、近隣基地局情報に互いに登録されていない基地局間の準正常なハンドオーバが発生しても、次回以降、同一のハンドオーバパターンが発生した際に、正常なハンドオーバとして処理することができる。
【００５３】
また、本実施の形態では、１回のハンドオーバ動作に対して、Ｓｅｒｖｉｎｇ基地局やＴａｒｇｅｔ基地局、及び近隣基地局の双方で、近隣基地局情報を更新することができる。
【００５４】
上述の実施の形態では、本発明をハードウェアの構成として説明したが、本発明は、これに限定されるものではない。本発明は、任意の処理を、ＣＰＵ（Central Processing Unit）にコンピュータプログラムを実行させることにより実現することも可能である。この場合、コンピュータプログラムは、記録媒体に記録して提供することも可能であり、また、インターネットその他の通信媒体を介して伝送することにより提供することも可能である。また、記憶媒体には、例えば、フレキシブルディスク、ハードディスク、磁気ディスク、光磁気ディスク、ＣＤ−ＲＯＭ、ＤＶＤ、ＲＯＭカートリッジ、バッテリバックアップ付きＲＡＭメモリカートリッジ、フラッシュメモリカートリッジ、不揮発性ＲＡＭカートリッジ等が含まれる。また、通信媒体には、電話回線等の有線通信媒体、マイクロ波回線等の無線通信媒体等が含まれる。
【００５５】
以上、実施の形態を参照して本願発明を説明したが、本願発明は上記によって限定されるものではない。本願発明の構成や詳細には、発明のスコープ内で当業者が理解し得る様々な変更をすることができる。
【００５６】
この出願は、２０１１年５月１１日に出願された日本出願特願２０１１−１０５７６４を基礎とする優先権を主張し、その開示の全てをここに取り込む。
【符号の説明】
【００５７】
１，２  基地局
３  端末局
１１  ネットワーク送信部
１２  基地局動作部
１３  無線通信部
１２１  ハンドオーバ処理部
１２２  近隣基地局情報管理部
１２３  近隣接基地局情報報知部
Ａ  Ｓｅｒｖｉｎｇ基地局
Ｂ  Ｔａｒｇｅｔ基地局
Ｃ  近隣基地局
【図１】
2012153525.tif 000003
【図２】
2012153525.tif 000004
【図３】
2012153525.tif 000005
【図４】
2012153525.tif 000006
【手続補正書】
【提出日】平成25年11月7日(2013.11.7)
【手続補正１】
【補正対象書類名】特許請求の範囲
【補正対象項目名】全文
【補正方法】変更
【補正の内容】
【特許請求の範囲】
【請求項１】
無線通信機能を有する端末局と、前記端末局との間で所定の周波数を用いてフレームを送受信する基地局装置とを含み、
前記基地局装置において、近隣基地局情報を予め基地局管理情報の一部として登録し、当該近隣基地局情報を前記端末局に報知する無線通信システムであって、
前記基地局装置は、前記端末局が前記近隣基地局情報のリストに登録されていない他の基地局からハンドオーバ準備フェーズを経ないハンドオーバを実施してきたことを検出するハンドオーバ処理手段と、前記ハンドオーバ処理手段にて当該ハンドオーバの実施が検出された場合に前記他の基地局を前記近隣基地局情報のリストに動的に追加登録する管理手段とを有することを特徴とする無線通信システム。
【請求項２】
前記ハンドオーバ処理手段は、前記ハンドオーバのための制御メッセージに含まれるハンドオーバ先の基地局情報あるいはハンドオーバ元の基地局情報を収集し、前記基地局情報を前記管理手段に入力することを特徴とする請求項１記載の無線通信システム。
【請求項３】
前記管理手段は、現在の近隣基地局情報のリストを参照し、前記ハンドオーバ処理手段にて収集された前記基地局情報が前記近隣基地局情報のリストに登録されていない場合、当該基地局情報を前記近隣基地局情報のリストに動的に追加登録して前記近隣基地局情報のリストを更新することを特徴とする請求項２記載の無線通信システム。
【請求項４】
上記の請求項１から請求項３のいずれか１項に記載の手段を含むことを特徴とする基地局装置。
【請求項５】
無線通信機能を有する端末局と、前記端末局との間で所定の周波数を用いてフレームを送受信する基地局装置とを含み、
前記基地局装置において、近隣基地局情報を予め基地局管理情報の一部として登録し、当該近隣基地局情報を前記端末局に報知する無線通信システムに用いるハンドオーバ制御方法であって、
前記基地局装置が、前記端末局が前記近隣基地局情報のリストに登録されていない他の基地局からハンドオーバ準備フェーズを経ないハンドオーバを実施してきたことを検出するハンドオーバ処理と、前記ハンドオーバ処理にて当該ハンドオーバの実施が検出された場合に前記他の基地局を前記近隣基地局情報のリストに動的に追加登録する管理処理とを実行することを特徴とするハンドオーバ制御方法。
【請求項６】
前記ハンドオーバ処理において、前記ハンドオーバのための制御メッセージに含まれるハンドオーバ先の基地局情報あるいはハンドオーバ元の基地局情報を収集し、前記基地局情報を前記管理処理に入力することを特徴とする請求項５記載のハンドオーバ制御方法。
【請求項７】
前記管理処理において、現在の近隣基地局情報のリストを参照し、前記ハンドオーバ処理にて収集された前記基地局情報が前記近隣基地局情報のリストに登録されていない場合、当該基地局情報を前記近隣基地局情報のリストに動的に追加登録して前記近隣基地局情報のリストを更新することを特徴とする請求項６記載のハンドオーバ制御方法。
【請求項８】
無線通信機能を有する端末局と、前記端末局との間で所定の周波数を用いてフレームを送受信する基地局装置とを含み、
前記基地局装置において、近隣基地局情報を予め基地局管理情報の一部として登録し、当該近隣基地局情報を前記端末局に報知する無線通信システムにおいて前記基地局装置内の中央処理装置に実行させるプログラムであって、
前記端末局が前記近隣基地局情報のリストに登録されていない他の基地局からハンドオーバ準備フェーズを経ないハンドオーバを実施してきたことを検出するハンドオーバ処理と、前記ハンドオーバ処理にて当該ハンドオーバの実施が検出された場合に前記他の基地局を前記近隣基地局情報のリストに動的に追加登録する管理処理とを前記基地局装置内の中央処理装置に実行させることを特徴とするプログラム。
【国際調査報告】
2012153525.tif 000007
2012153525.tif 000008